Podtech/llm-jp-corpus-v4-ja_patent huggingface dataset:
【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
２つの電極を内部に備えたインクタンクと、
前記２つの電極の一方の電極に電流を供給することにより、前記２つの電極間の電圧を測定する測定手段と、
前記測定手段により測定された電圧が第１の閾値電圧以上の場合は前記インクタンクにはインク無しと判断し、前記測定された電圧が前記第１の閾値電圧よりも低い第２の閾値電圧以下の場合は前記インクタンクにはインク有りと判断する判断手段と、
前記測定手段により測定された電圧が前記第２の閾値電圧より高く、かつ前記第１の閾値電圧より低い場合は、前記２つの電極間に蓄積された電荷を放電させた後、前記測定手段に再度、測定を行わせるよう制御する制御手段とを有することを特徴とする記録装置。
【請求項２】
前記インクタンクからのインクにより記録を行うインクジェット記録ヘッドと、
前記測定手段による測定のために前記２つの電極の一方の電極に電流を供給する供給手段と、
前記測定手段により測定された電圧を前記第１の閾値電圧と比較する第１の比較手段と、
前記測定手段により測定された電圧を前記第２の閾値電圧と比較する第２の比較手段とをさらに有することを特徴とする請求項１に記載の記録装置。
【請求項３】
前記制御手段は、前記インクタンクの再度の測定において前記測定手段により測定された電圧を第３の閾値電圧と比較する第３の比較手段を含み、
前記判断手段は、前記第３の比較手段による比較の結果、前記測定された電圧が前記第３の閾値電圧以上の場合には、前記インクタンクにはインク無しと判断し、前記再度の測定により前記測定された電圧が前記第３の閾値電圧より低い場合には、前記インクタンクにはインク有りと判断することを特徴とする請求項２に記載の記録装置。
【請求項４】
前記供給手段から前記一方の電極に供給される電流のＯＮとＯＦＦを行う第１のスイッチと、
前記一方の電極の接地への接続のＯＮとＯＦＦを行う第２のスイッチとをさらに有し、
前記供給手段は定電流源を有し、
前記２つの電極の内の他方の電極は接地されており、
前記第１のスイッチと前記第２のスイッチとは互いに接続されており、
前記測定手段は、前記第１のスイッチと前記第２のスイッチとの間において電圧を測定することを特徴とする請求項３に記載の記録装置。
【請求項５】
前記２つの電極の状態は、
（１）  前記第１のスイッチがＯＦＦにあり、かつ、前記第２のスイッチがＯＦＦにあるときは開放状態にあり、
（２）  前記第１のスイッチがＯＮにあり、かつ、前記第２のスイッチがＯＦＦにあるときは充電状態にあり、
（３）  前記第１のスイッチがＯＦＦにあり、かつ、前記第２のスイッチがＯＮにあるときは放電状態にあることを特徴とする請求項４に記載の記録装置。
【請求項６】
前記２つの電極の状態は、前記第１のスイッチと前記第２のスイッチのＯＮとＯＦＦの組み合わせにより、前記開放状態と前記充電状態と前記放電状態とが順に繰り返されることを特徴とする請求項５に記載の記録装置。
【請求項７】
前記充電状態において前記測定手段により測定された電圧を、前記第１の比較手段において前記第１の閾値電圧、及び、前記第２の比較手段において前記第２の閾値電圧と比較することを特徴とする請求項６に記載の記録装置。
【請求項８】
前記制御手段の制御による前記インクタンクの再度の測定においては、前記開放状態と前記充電状態と前記放電状態とが順に続き、再び、前記開放状態になったときに前記測定手段により測定された電圧を前記第３の比較手段において、前記第３の閾値電圧と比較することを特徴とする請求項６に記載の記録装置。
【請求項９】
予め定められたインク量が消費される毎にインク残量検知を行うことを特徴とする請求項２乃至８のいずれか１項に記載の記録装置。
【請求項１０】
異なる色のインクを貯留する前記インクタンクを複数、備え、
前記複数のインクタンクの内、インク残量の検知を行うインクタンクを選択する選択手段をさらに有することを特徴とする請求項２乃至９のいずれか１項に記載の記録装置。
【請求項１１】
前記選択手段は、前記インク残量の検知を行うインクタンクを前記供給手段と前記測定手段に接続することを特徴とする請求項１０に記載の記録装置。
【請求項１２】
２つの電極を内部に備えたインクタンクを備えた記録装置におけるインク残量検知方法であって、
前記２つの電極の一方の電極に電流を供給し、前記２つの電極間の電圧を測定する測定工程と、
前記測定された電圧が第１の閾値電圧以上の場合は前記インクタンクにはインク無しと判断し、前記測定された電圧が前記第１の閾値電圧よりも低い第２の閾値電圧以下の場合は前記インクタンクにはインク有りと判断する判断工程と、
前記測定された電圧が前記第２の閾値電圧より高く、かつ前記第１の閾値電圧より低い場合は、前記２つの電極間に蓄積された電荷を放電させた後、再度、前記測定工程による測定を行わせるよう制御する制御工程とを有することを特徴とするインク残量検知方法。
【手続補正２】
【補正対象書類名】明細書
【補正対象項目名】００１３
【補正方法】変更
【補正の内容】
【００１３】
即ち、２つの電極を内部に備えたインクタンクと、前記２つの電極の一方の電極に電流を供給することにより、前記２つの電極間の電圧を測定する測定手段と、前記測定手段により測定された電圧が第１の閾値電圧以上の場合は前記インクタンクにはインク無しと判断し、前記測定された電圧が前記第１の閾値電圧よりも低い第２の閾値電圧以下の場合は前記インクタンクにはインク有りと判断する判断手段と、前記測定手段により測定された電圧が前記第２の閾値電圧より高く、かつ前記第１の閾値電圧より低い場合は、前記２つの電極間に蓄積された電荷を放電させた後、前記測定手段に再度、測定を行わせるよう制御する制御手段とを有することを特徴とする。
【手続補正３】
【補正対象書類名】明細書
【補正対象項目名】００１４
【補正方法】変更
【補正の内容】
【００１４】
さらに本発明を別の側面から見れば、２つの電極を内部に備えたインクタンクを備えた記録装置におけるインク残量検知方法であって、前記２つの電極の一方の電極に電流を供給し、前記２つの電極間の電圧を測定する測定工程と、前記測定された電圧が第１の閾値電圧以上の場合は前記インクタンクにはインク無しと判断し、前記測定された電圧が前記第１の閾値電圧よりも低い第２の閾値電圧以下の場合は前記インクタンクにはインク有りと判断する判断工程と、前記測定された電圧が前記第２の閾値電圧より高く、かつ前記第１の閾値電圧より低い場合は、前記２つの電極間に蓄積された電荷を放電させた後、再度、前記測定工程による測定を行わせるよう制御する制御工程とを有することを特徴とするインク残量検知方法を備える。
【手続補正書】
【提出日】平成27年11月19日(2015.11.19)
【手続補正１】
【補正対象書類名】明細書
【補正対象項目名】００２４
【補正方法】変更
【補正の内容】
【００２４】
本実施態様では、撥水膜は、真空度が１００（Ｐａ）以下の雰囲気下で、少なくとも１回、撥水性有機材料のガラス転移温度Ｔｇよりも低い任意の温度で一定時間保持して、ガラス転移温度Ｔｇ以上の温度とすることで形成されることが好ましい。
【手続補正２】
【補正対象書類名】明細書
【補正対象項目名】００５７
【補正方法】変更
【補正の内容】
【００５７】
なお、撥水性有機材料については、前述したように含フッ素有機物質が好ましく、主鎖末端に基質表面の水酸基あるいは吸着水との縮合により結合可能な基を分子内に含むパーフルオロポリエーテルを使用することができる。市販品としては、旭硝子製のサイトップ、Ｓｏｌｖａｙ Ｐｌａｓｔｉｃｓ製のフォンブリン、フロロテクノロジー製のフロロサーフ、ダイキン工業製のオプツールＤＳＸ等がある。
【手続補正３】
【補正対象書類名】明細書
【補正対象項目名】０１０１
【補正方法】変更
【補正の内容】
【０１０１】
かかる構造を有するインク室ユニット５３を図５（ｂ）に示す如く、主走査方向に沿う行方向及び主走査方向に対して直交しない一定の角度θを有する斜めの列方向に沿って一定の配列パターンで格子状に多数配列させることにより、本例の高密度ノズルヘッドが実現されている。
【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
モータ駆動により回転する駆動プーリと、転舵軸と同軸上に配置された従動プーリと、前記駆動プーリ及び前記従動プーリ間に巻き掛けられたベルトと、前記従動プーリの回転を前記転舵軸の往復動に変換するボール螺子機構とを備えた操舵装置において、
前記ボール螺子機構は、前記転舵軸の外周に形成された螺子溝と前記従動プーリと一体回転するボール螺子ナットの内周に形成された螺子溝とを対向させてなる螺旋状のボール軌道内に複数のボールを配設することにより構成されたものであって、
前記各プーリの外周には、それぞれ外歯が形成されるとともに、前記ベルトの内周には、前記各外歯と噛合可能な内歯が形成され、
前記各外歯及び前記内歯は、それぞれ歯すじが前記各螺子溝と反対方向にねじられた斜歯として構成され、
前記ボール螺子ナットには、前記螺子溝の二点間を短絡して前記ボール軌道内を転動するボールの無限循環を可能とする循環路が設けられ、
前記ベルトは、前記ボール螺子ナットの螺子溝のうちの前記ボールが転動する転動領域と、該ベルトの少なくとも一部が軸方向において重なるように配置され、
前記ボール螺子ナットの外周には、前記従動プーリが嵌合され、前記ベルトと前記転動領域とが軸方向に重なる部分において、前記従動プーリの内周面と前記ボール螺子ナットの外周面とが面接触することを特徴とする操舵装置。
【請求項２】
請求項１に記載の操舵装置において、
前記各外歯及び前記内歯のねじれ角は、それぞれ前記各螺子溝のリード角と等しくなるように設定されたことを特徴とする操舵装置。
【請求項３】
請求項１又は２に記載の操舵装置において、
前記ボール螺子ナットは、前記転舵軸を往復動可能に収容するハウジング内に設けられた軸受により、該ボール螺子ナットの一端部のみが回転可能に支持されたことを特徴とする操舵装置。
【請求項４】
請求項３に記載の操舵装置において、
前記軸受と前記ハウジングとの間には、環状の弾性部材が設けられたことを特徴とする操舵装置。
【手続補正２】
【補正対象書類名】明細書
【補正対象項目名】０００７
【補正方法】変更
【補正の内容】
【０００７】
上記課題を解決する操舵装置は、モータ駆動により回転する駆動プーリと、転舵軸と同軸上に配置された従動プーリと、前記駆動プーリ及び前記従動プーリ間に巻き掛けられたベルトと、前記従動プーリの回転を前記転舵軸の往復動に変換するボール螺子機構とを備えたものにおいて、前記ボール螺子機構は、前記転舵軸の外周に形成された螺子溝と前記従動プーリと一体回転するボール螺子ナットの内周に形成された螺子溝とを対向させてなる螺旋状のボール軌道内に複数のボールを配設することにより構成されたものであって、前記各プーリの外周には、それぞれ外歯が形成されるとともに、前記ベルトの内周には、前記各外歯と噛合可能な内歯が形成され、前記各外歯及び前記内歯は、それぞれ歯すじが前記各螺子溝と反対方向にねじられた斜歯として構成され、前記ボール螺子ナットには、前記螺子溝の二点間を短絡して前記ボール軌道内を転動するボールの無限循環を可能とする循環路が設けられ、前記ベルトは、前記ボール螺子ナットの螺子溝のうちの前記ボールが転動する転動領域と、該ベルトの少なくとも一部が軸方向において重なるように配置され、前記ボール螺子ナットの外周には、前記従動プーリが嵌合され、前記ベルトと前記転動領域とが軸方向に重なる部分において、前記従動プーリの内周面と前記ボール螺子ナットの外周面とが面接触することを要旨とする。
【手続補正３】
【補正対象書類名】明細書
【補正対象項目名】０００９
【補正方法】変更
【補正の内容】
【０００９】
この点、上記構成では、各外歯及び内歯は、それぞれ歯すじが各螺子溝と反対方向にねじられた斜歯として構成されているため、各螺子溝と同一方向にねじられた斜歯として構成される場合に比べ、歯直角方向（ボール螺子ナットに作用する力の方向）とリード方向とのずれを小さくすることが可能になる。したがって、ベルトからボール螺子ナットに作用する力のうち、ボールが転動する方向と交差する方向の分力が小さくなるため、ボール螺子ナットが転舵軸に対して傾くことが抑制され、ボール螺子ナットの円滑な回転が可能になる。これにより、ボール螺子ナットの回転を高効率で転舵軸の軸方向移動に変換できるため、モータとして出力トルクの小さな小型・軽量のものを用いても、十分なアシスト力を操舵系に付与することができる。
また、上記構成によれば、ベルトからボール螺子ナットに作用する力の一部は、該ボール螺子ナットにおける内周側にボールが存在している部分に作用する。ここで、ボールが内周側に存在している部分では、該ボールによってボール螺子ナットと螺子軸との間の隙間が確保されている。そのため、ベルトからボール螺子ナットに作用する力全体が、該ボール螺子ナットにおける内周側にボールの存在していない部分に作用する場合に比べ、ボール螺子ナットが傾くことを抑制できる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
印字媒体を所定の搬送方向に搬送する搬送手段と、
前記搬送手段によって搬送された印字媒体に対して、前記搬送方向に直交する方向の印字ライン毎に、印字情報を印字するサーマルヘッドと、
前記搬送手段の搬送速度を制御する制御部と、を備え、
前記印字情報は、コード化された第１の印字情報と、コード化されていない第２の印字情報と、を含み、
前記制御部は、前記第１の印字情報を含む印字ラインである第１の印字ラインに印字を行うときの搬送速度を所定の第１の搬送速度より遅い第２の搬送速度に設定し、
前記制御部は、前記第２の印字情報を含み、かつ、前記第１の印字情報を含まない印字ラインである第２の印字ラインに印字を行うときの搬送速度を前記第１の搬送速度に設定し、
前記制御部は、前記第２の印字情報のはみ出し部分を含む印字ラインである第３の印字ラインに印字を行うときの搬送速度を前記第２の搬送速度に設定し、前記はみ出し部分は、前記第１の印字ラインに含まれる前記第２の印字情報のうち、前記搬送方向において前記第１の印字ラインからはみ出している部分であり、
前記制御部は、前記搬送方向の長さが所定の閾値以下の領域である第２の余白領域に印字を行うときの搬送速度を前記第１の搬送速度に設定する、
プリンタ。
【請求項２】
前記制御部は、前記搬送方向の長さが前記閾値以上の領域である第１の余白領域に印字を行うときの搬送速度を、前記第１の搬送速度よりも速い第３の搬送速度に設定する、
請求項１に記載のプリンタ。
【請求項３】
印字媒体を所定の搬送方向に搬送する搬送手段と、
前記搬送手段によって搬送された印字媒体に対して、前記搬送方向に直交する方向の印字ライン毎に、印字情報を印字するサーマルヘッドと、
前記搬送手段の搬送速度を制御する制御部と、を備えるプリンタにおける印字媒体の搬送速度の設定方法であって、
前記印字情報は、コード化された第１の印字情報と、コード化されていない第２の印字情報と、を含み、
前記制御部は、前記第１の印字情報を含む印字ラインである第１の印字ラインに印字を行うときの搬送速度を所定の第１の搬送速度より遅い第２の搬送速度に設定し、
前記制御部は、前記第２の印字情報を含み、かつ、前記第１の印字情報を含まない印字ラインである第２の印字ラインに印字を行うときの搬送速度を前記第１の搬送速度に設定し、
前記制御部は、前記第２の印字情報のはみ出し部分を含む印字ラインである第３の印字ラインに印字を行うときの搬送速度を前記第２の搬送速度に設定し、前記はみ出し部分は、前記第１の印字ラインに含まれる前記第２の印字情報のうち、前記搬送方向において前記第１の印字ラインからはみ出している部分であり、
前記制御部は、前記搬送方向の長さが所定の閾値以下の領域である第２の余白領域に印字を行うときの搬送速度を前記第１の搬送速度に設定する、
方法。
【請求項４】
前記制御部は、前記搬送方向の長さが前記閾値以上の領域である第１の余白領域に印字を行うときの搬送速度を、前記第１の搬送速度よりも速い第３の搬送速度に設定する、
請求項３に記載の方法。
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
出力される用紙サイズが第１の分類に入るか、前記第１の分類より大きいサイズを持つ第２の分類に入るかを判定する判定手段と、
印刷対象のページの画像データにおけるカラー面積を求める手段と、
前記分類および前記カラー面積に基づいて、当該ページの区分を決定する決定手段と
を有し、
前記判定手段は、前記用紙サイズが未知である場合には、当該用紙サイズを前記第２の分類に入ると判定し、
前記決定手段で決定される区分には、白黒区分及びカラー区分が含まれ、当該カラー区分には、前記求めたカラー面積に基づく複数の区分が含まれることを特徴とする画像形成装置。
【請求項２】
前記決定手段は、出力される用紙サイズが前記第１の分類に入る場合には、カラー面積を前記第１の分類に対応する面積で割り、出力される用紙サイズが前記第２の分類に入る場合には、カラー面積を前記第２の分類に対応する面積で割り、カラー面積率を求める手段を含み、前記分類と前記カラー面積率との組み合わせに応じて当該ページの区分を決定することを特徴とする請求項１に記載の画像形成装置。
【請求項３】
前記カラー面積率を求める手段は、前記第１及び第２の分類それぞれに分類される用紙サイズの最大の面積を、前記第１及び第２の分類それぞれに対応する面積としてカラー面積率を求めることを特徴とする請求項２に記載の画像形成装置。
【請求項４】
前記カラー面積率を求める手段は、用紙サイズに対応した面積を、前記第１及び第２の分類それぞれに対応する面積とし、前記用紙サイズが未知である場合には、当該用紙サイズを予め設定された用紙サイズとしてカラー面積率を求めることを特徴とする請求項２に記載の画像形成装置。
【請求項５】
用紙サイズが未知の用紙について、その一方向の辺の長さが第１のサイズか又は第２のサイズかを判定するための手段を更に有し、
前記判定手段は、前記用紙サイズが未知である場合には、当該用紙の前記一方向の長さが第１のサイズであれば前記第１の分類に、第２のサイズであれは第２の分類に入ると判定し、
前記カラー面積率を求める手段は、用紙サイズに対応した面積を、前記第１及び第２の分類それぞれに対応する面積とし、前記用紙サイズが未知である場合には、予め設定された、前記第１及び第２の分類それぞれに分類される用紙サイズの代表値を、前記第１及び第２の分類それぞれに対応する面積としてカラー面積率を求めることを特徴とする請求項２に記載の画像形成装置。
【請求項６】
前記カラー面積率を求める手段は、用紙サイズに対応した面積を、前記第１及び第２の分類それぞれに対応する面積とし、前記用紙サイズが未知である場合には、当該用紙に形成される原稿画像のサイズに、前記原稿画像に対する拡大率を乗じたサイズを前記未知の用紙サイズとしてカラー面積率を求めることを特徴とする請求項２に記載の画像形成装置。
【請求項７】
用紙サイズが未知の用紙を出力される用紙として指定できないことを特徴とする請求項１又は２に記載の画像形成装置。
【請求項８】
前記決定手段は、前記分類と前記カラー面積との組み合わせに応じて当該ページの区分を決定することを特徴とする請求項１に記載の画像形成装置。
【請求項９】
前記用紙サイズの分類と前記区分とに応じた課金区分を決定する手段を更に有することを特徴とする請求項１乃至８のいずれか一項に記載の画像形成装置。
【請求項１０】
出力される用紙サイズが第１の分類に入るか、前記第１の分類より大きいサイズを持つ第２の分類に入るかを判定する判定工程と、
印刷対象のページの画像データにおけるカラー面積を求める工程と、
前記分類および前記カラー面積に基づいて、当該ページの区分を決定する決定工程と
を有し、
前記判定工程では、前記用紙サイズが未知である場合には、当該用紙サイズを前記第２の分類に入ると判定し、
前記決定工程で決定される区分には、白黒区分及びカラー区分が含まれ、当該カラー区分には、前記求めたカラー面積に基づく複数の区分が含まれることを特徴とする画像形成装置によるページの区分方法。
【請求項１１】
コンピュータにページの区分方法を実行させるためのプログラムであって、前記方法は、
出力される用紙サイズが第１の分類に入るか、前記第１の分類より大きいサイズを持つ第２の分類に入るかを判定する判定工程と、
印刷対象のページの画像データにおけるカラー面積を求める工程と、
前記分類および前記カラー面積に基づいて、当該ページの区分を決定する決定工程とを有し、
前記判定工程では、前記用紙サイズが未知である場合には、当該用紙サイズを前記第２の分類に入ると判定し、
前記決定工程で決定される区分には、白黒区分及びカラー区分が含まれ、当該カラー区分には、前記求めたカラー面積に基づく複数の区分が含まれることを特徴とするプログラム。
【手続補正２】
【補正対象書類名】明細書
【補正対象項目名】０００８
【補正方法】変更
【補正の内容】
【０００８】
上記目的を達成するために本発明は以下の構成を有する。すなわち、
出力される用紙サイズが第１の分類に入るか、前記第１の分類より大きいサイズを持つ第２の分類に入るかを判定する判定手段と、
印刷対象のページの画像データにおけるカラー面積を求める手段と、
前記分類および前記カラー面積に基づいて、当該ページの区分を決定する決定手段と
を有し、
前記判定手段は、前記用紙サイズが未知である場合には、当該用紙サイズを前記第２の分類に入ると判定し、
前記決定ユニットで決定される区分には、白黒区分及びカラー区分が含まれ、当該カラー区分には、前記求めたカラー面積に基づく複数の区分が含まれる。
【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
基板に溶液を所定のパターンで塗布後レベリングされて塗布膜を形成する塗布装置であって、
上記溶液を上記基板に噴射塗布する複数のノズルを有するヘッドと、
上記基板が上記ヘッドの下方を所定方向に沿って通過するようこれら基板とヘッドを相対的に移動させる搬送手段と、
上記ノズルから上記基板に溶液を噴射塗布する際、上記パターンの周縁部分となる部分に塗布する溶液の量を周縁部分よりも内側となる部分に塗布する量よりも多くするように制御する制御手段と、
具備したことを特徴とする溶液の塗布装置。
【請求項２】
上記制御手段は、上記ノズルから上記パターンの周縁部分となる部分に前記溶液を噴射塗布する際に上記ノズルに対応する圧電素子に印加する電圧を、周縁部分よりも内側となる部分に前記溶液を噴射塗布する際に上記ノズルに対応する圧電素子に印加する電圧より高くすることによって上記パターンの周縁部分となる部分に塗布する溶液の量を周縁部分よりも内側となる部分に塗布する量よりも多くすることを特徴とする請求項１記載の溶液の塗布装置。
【請求項３】
上記制御手段は、上記ノズルから上記基板に溶液を噴射塗布する際、上記パターンの周縁部分となる部分に溶液を塗布する回数を、周縁部分よりも内側となる部分に塗布する回数よりも多くすることによって、上記ノズルから吐出される上記溶液の量を制御することを特徴とする請求項１記載の溶液の塗布装置。
【請求項４】
ヘッドに設けられた複数のノズルから基板に溶液を所定のパターンで噴射塗布後レベリングされて塗布膜を形成する塗布方法であって、
上記基板が上記ヘッドの下方を通過するよう上記基板と上記ヘッドを相対的に所定方向に沿って移動させる工程と、
上記溶液を上記基板に噴射塗布するとともに、上記パターンの周縁部分となる部分に噴射される溶液の量が上記周縁部分よりも内側となる部分に噴射される量よりも多くなるように制御する工程と
を具備したことを特徴とする溶液の塗布方法。
【請求項５】
上記制御する工程は、上記ノズルから上記パターンの周縁部分となる部分に前記溶液を噴射塗布する際に上記ノズルに対応する圧電素子に印加する電圧を、周縁部分よりも内側となる部分に前記溶液を噴射塗布する際に上記ノズルに対応する圧電素子に印加する電圧より高くすることによって上記パターンの周縁部分となる部分に塗布する溶液の量を周縁部分よりも内側となる部分に塗布する量よりも多くする工程であることを特徴とする請求項４記載の溶液の塗布方法。
【請求項６】
上記制御する工程は、上記ノズルから上記基板に溶液を噴射塗布する際、上記パターンの周縁部分となる部分に溶液を塗布する回数を、周縁部分よりも内側となる部分に塗布する回数よりも多くすることによって、上記ノズルから吐出される上記溶液の量を制御する工程であることを特徴とする請求項４記載の溶液の塗布方法。
【手続補正２】
【補正対象書類名】明細書
【補正対象項目名】００３５
【補正方法】変更
【補正の内容】
【００３５】
なお、この例は、３つのヘッド７Ａ〜７Ｃの３つのノズル１４をそれぞれ図２における左から順にＮ１〜Ｎ３とし、基板Ｗを移動させながら、あるいはピッチ移動させながら、合計９個のノズル１４を用いて、図３に示すように、ノズル１４の配列方向であるＸ方向に９列、基板Ｗの搬送であるＹ方向に９行の９列×９行の配置パターンで溶液Ｌの液滴を塗布するものである。また、図１での隣接するヘッド同士の間隔、図２ではＮ１〜Ｎ３のノズル配置間隔が誇張して描いてあるが、９個のノズルのピッチは図３におけるＳとする。
【手続補正３】
【補正対象書類名】図面
【補正対象項目名】図３
【補正方法】変更
【補正の内容】
【図３】
2015047532.tif 000001
【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
クライアント端末と通信可能に接続され、当該クライアント端末に対してゲームサービスを提供するサーバ装置であって、
当該サーバ装置は、所定のプログラムを実行可能な１又は複数のプロセッサを備え、
前記所定のプログラムは、
第１ゲームアプリケーションプログラムを実行する前記クライアント端末から提供される、プレイヤによる第１ゲームの進行に関する第１ゲーム進行データに基づいて、当該第１ゲームの進行を管理する進行管理モジュールと、
前記第１ゲームの進行に応じて、前記クライアント端末に対して第１オブジェクトを生成するための第１オブジェクト生成データを提供するデータ提供モジュールと、
前記第１ゲームにおいて前記第１オブジェクトが選択されることにより前記クライアント端末において前記第２ゲームアプリケーションプログラムへの切替処理が開始された場合に、当該クライアント端末から第１ゲーム切替通知を受け付ける受付モジュールと、
前記第１ゲーム切替通知に応じて前記プレイヤに対して第１報酬を付与する報酬付与モジュールと、
を備えるサーバ装置。
【手続補正書】
【提出日】平成28年4月6日(2016.4.6)
【手続補正１】
【補正対象書類名】明細書
【補正対象項目名】０００６
【補正方法】変更
【補正の内容】
【０００６】
前記課題を解決するために、本発明のネイルプリント装置は、
小液滴インクと該小液滴インクよりも液滴量の多い大液滴インクとを選択的に噴射可能に構成された印刷ヘッドと、
印刷対象となる爪の幅方向の長さを爪幅として検出する爪形状検出部と、
前記爪幅に基づいて前記爪における前記大液滴インクにより印刷すべき大液滴印刷幅を取得し、前記印刷ヘッドを制御して、当該爪の幅方向の両端部から中央部に向かって前記大液滴印刷幅までの領域では前記印刷ヘッドから前記大液滴インクを噴射させ、それ以外の領域では前記印刷ヘッドから前記小液滴インクを噴射させる印刷制御部と、
を備えていることを特徴としている。
【手続補正２】
【補正対象書類名】明細書
【補正対象項目名】０００７
【補正方法】変更
【補正の内容】
【０００７】
また、本発明のネイルプリント装置の印刷方法は、
印刷対象となる爪に画像の印刷を施すネイルプリント装置の印刷方法において、
前記ネイルプリント装置は、小液滴インクと該小液滴インクよりも液滴量の多い大液滴インクとを選択的に噴射可能に構成された印刷ヘッドを有し、
前記印刷対象となる爪の幅方向の長さ爪幅として検出し、
検出された前記爪幅に基づいて前記大液滴インクにより印刷すべき大液滴印刷幅を取得し、
前記爪の幅方向の両端部から中央部に向かって前記大液滴印刷幅までの領域では前記印刷ヘッドから前記大液滴インクを噴射させて印刷を施し、それ以外の領域では前記印刷ヘッドから小液滴インクを噴射させて印刷を施すことを特徴としている。
【手続補正３】
【補正対象書類名】特許請求の範囲
【補正対象項目名】全文
【補正方法】変更
【補正の内容】
【特許請求の範囲】
【請求項１】
小液滴インクと該小液滴インクよりも液滴量の多い大液滴インクとを選択的に噴射可能に構成された印刷ヘッドと、
印刷対象となる爪の幅方向の長さを爪幅として検出する爪形状検出部と、
前記爪幅に基づいて前記爪における前記大液滴インクにより印刷すべき大液滴印刷幅を取得し、前記印刷ヘッドを制御して、当該爪の幅方向の両端部から中央部に向かって前記大液滴印刷幅までの領域では前記印刷ヘッドから前記大液滴インクを噴射させ、それ以外の領域では前記印刷ヘッドから前記小液滴インクを噴射させる印刷制御部と、
を備えていることを特徴とするネイルプリント装置。
【請求項２】
前記爪幅における前記大液滴印刷幅を規定するパラメータを記憶している記憶部を有し、
前記印刷制御部は、前記爪幅と前記パラメータとに基づいて前記大液滴印刷幅を取得することを特徴とする請求項１に記載のネイルプリント装置。
【請求項３】
前記記憶部に記憶されている前記パラメータは、前記爪幅に対する前記大液滴印刷幅の比率であり、
前記印刷制御部は、前記爪形状検出部により検出された前記爪幅に前記パラメータの値を乗算して、前記大液滴印刷幅を取得することを特徴とする請求項２に記載のネイルプリント装置。
【請求項４】
前記記憶部に記憶されている前記パラメータは、前記爪幅の複数の互いに異なる値の各々に対する前記大液滴印刷幅の値であり、
前記印刷制御部は、前記パラメータにおける前記爪形状検出部により検出された前記爪幅に対応する値を、前記大液滴印刷幅として取得することを特徴とする請求項２に記載のネイルプリント装置。
【請求項５】
前記パラメータは、親指、人差し指、中指、薬指及び小指の各々に対応して設定されていることを特徴とする請求項２から請求項４のいずれか一項に記載のネイルプリント装置。
【請求項６】
前記印刷制御部は、前記爪に印刷する画像の濃度を前記大液滴インクと前記小液滴インクの各々に応じた変換濃度値に変換したガンマ補正テーブルを有し、前記画像の印刷を施す際に、前記大液滴インクと前記小液滴インクのそれぞれのインク液滴の数を、前記変換濃度値にしたがった数に設定することを特徴とする請求項１から請求項５のいずれか一項に記載のネイルプリント装置。
【請求項７】
印刷対象となる爪に画像の印刷を施すネイルプリント装置の印刷方法において、
前記ネイルプリント装置は、小液滴インクと該小液滴インクよりも液滴量の多い大液滴インクとを選択的に噴射可能に構成された印刷ヘッドを有し、
前記印刷対象となる爪の幅方向の長さ爪幅として検出し、
検出された前記爪幅に基づいて前記大液滴インクにより印刷すべき大液滴印刷幅を取得し、
前記爪の幅方向の両端部から中央部に向かって前記大液滴印刷幅までの領域では前記印刷ヘッドから前記大液滴インクを噴射させて印刷を施し、それ以外の領域では前記印刷ヘッドから小液滴インクを噴射させて印刷を施すことを特徴とするネイルプリント装置の印刷方法。
【請求項８】
前記ネイルプリント装置は、前記爪幅における前記大液滴印刷幅を規定するパラメータを記憶している記憶部を有し、
前記爪幅と前記パラメータとに基づいて前記大液滴印刷幅を取得することを特徴とする請求項７に記載のネイルプリント装置の印刷方法。
【請求項９】
前記記憶部に記憶されている前記パラメータは、前記爪幅に対する前記大液滴印刷幅の比率であり、
前記爪形状検出部により検出された前記爪幅に前記パラメータの値を乗算して、前記大液滴印刷幅を取得することを特徴とする請求項８に記載のネイルプリント装置の印刷方法。
【請求項１０】
前記記憶部に記憶されている前記パラメータは、前記爪幅の複数の互いに異なる値の各々に対する前記大液滴印刷幅の値であり、
前記パラメータにおける前記爪形状検出部により検出された前記爪幅に対応する値を、前記大液滴印刷幅として取得することを特徴とする請求項８に記載のネイルプリント装置の印刷方法。
【請求項１１】
前記ネイルプリント装置は、前記爪に印刷する画像の濃度を前記大液滴インクと前記小液滴インクの各々に応じた変換濃度値に変換したガンマ補正テーブルを有し、
前記画像の印刷を施す際に、前記大液滴インクと前記小液滴インクのそれぞれのインク液滴の数を、前記変換濃度値にしたがった数に設定することを特徴とする請求項７から請求項１０のいずれか一項に記載のネイルプリント装置の印刷方法。
【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
人の腕又は脚を包むようにして装着され、装着されたときの前記腕又は脚の末梢の位置から身体の中枢に向う近位方向に複数の空気室が並べて配置されているマッサージ具と、
前記マッサージ具の前記複数の空気室への圧縮空気の供給排出を行う圧縮空気制御装置と、を備え、
該圧縮空気制御装置が、各空気室に圧縮空気を供給して各空気室を加圧する加圧手段と、該加圧手段による該空気室のすべての加圧が完了した後に、各空気室から圧縮空気を排出して各空気室を除圧する除圧手段とを有し、
該除圧手段が、加圧された空気室のうちの隣接して配置された何れか一組の空気室を、該一組の空気室のうちの近位側の空気室の除圧を先に開始し遠位側の空気室の除圧を後に開始するようにされた、空気圧式マッサージ装置。
【請求項２】
前記除圧手段が、前記加圧された空気室のうちの最も遠位に配置された遠位端空気室の除圧よりも先に、前記加圧された空気室のうちの前記遠位端空気室以外の空気室のうちの少なくとも一つの空気室の除圧を開始するようにされた、請求項１に記載の空気圧式マッサージ装置。
【請求項３】
前記除圧手段が、前記加圧された空気室を前記遠位端空気室を１番として近位方向に並ぶ順番に番号を付したときに偶数番となる空気室を該番号の大きい順に除圧を開始し、次に奇数番となる空気室を該番号の大きい順に除圧を開始するようにされた、請求項２に記載の空気圧式マッサージ装置。
【請求項４】
前記除圧手段が、前記加圧された空気室を前記遠位端空気室を１番として近位方向に並ぶ順番に番号を付したときに奇数番となる空気室を該番号の大きい順に除圧を開始し、次に偶数番となる空気室を該番号の大きい順に除圧を開始するようにされた、請求項２に記載の空気圧式マッサージ装置。
【請求項５】
前記除圧手段が、前記加圧された空気室を前記遠位端空気室を１番として近位方向に並ぶ順番に番号を付したときに番号の大きい順に除圧を開始するようにされた、請求項２に記載の空気圧式マッサージ装置。
【請求項６】
前記加圧手段が、前記加圧された空気室を前記遠位端空気室を１番として近位方向に並ぶ順番に番号を付したときに番号の小さい順に加圧を開始するようにされた、請求項１乃至５の何れか一項に記載の空気圧式マッサージ装置。
【請求項７】
前記加圧手段が、前記複数の空気室の加圧を同時に開始するようにされた、請求項１乃至５の何れか一項に記載の空気圧式マッサージ装置。
【請求項８】
前記複数の空気室が、隣接する空気室が互いに重なり合うように配置されている、請求項１乃至７の何れか一項に記載の空気圧式マッサージ装置。
【請求項９】
前記圧縮空気制御装置が、前記加圧手段による各空気室の加圧が完了した後に前記加圧された空気室の加圧状態を一定時間維持する加圧状態維持手段をさらに有する、請求項１乃至８の何れか一項に記載の空気圧式マッサージ装置。
【手続補正２】
【補正対象書類名】明細書
【補正対象項目名】０００７
【補正方法】変更
【補正の内容】
【０００７】
すなわち本発明は、
人の腕又は脚を包むようにして装着され、装着されたときの前記腕又は脚の末梢の位置から身体の中枢に向う近位方向に複数の空気室が並べて配置されているマッサージ具と、
前記マッサージ具の前記複数の空気室への圧縮空気の供給排出を行う圧縮空気制御装置と、を備え、
該圧縮空気制御装置が、各空気室に圧縮空気を供給して各空気室を加圧する加圧手段と、該加圧手段による該空気室のすべての加圧が完了した後に、加圧された各空気室から圧縮空気を排出して各空気室を除圧する除圧手段とを有し、
該除圧手段が、加圧された空気室のうちの隣接して配置された何れか一組の空気室を、該一組の空気室のうちの近位側の空気室の除圧を先に開始し遠位側の空気室の除圧を後に開始するようにされた、空気圧式マッサージ装置を提供する。
【手続補正３】
【補正対象書類名】明細書
【補正対象項目名】００２４
【補正方法】変更
【補正の内容】
【００２４】
当該空気圧式マッサージ装置１における除圧パターンは、基本的には、隣接して配置された何れか一組の空気室をその組の空気室のうちの近位側の空気室の除圧を先に開始して遠位側の空気室の除圧をその後に開始するようにするようになっている。こうすることで、除圧された近位側の空気室が圧迫していた身体の部分とその遠位側の空気室が圧迫している身体の部分との間に圧力勾配が生じ、遠位側の空気室によって圧迫されている身体の部分から近位側の空気室によって圧迫されていた身体の部分に向かって体液が流れるのを促すことが可能となる。当該空気圧式マッサージ装置１における代表的な除圧パターンとしては、第６の空気室５ｆの除圧を最初に開始し、以後、第４の空気室５ｄ、第２の空気室５ｂ、第５の空気室５ｅ、第３の空気室５ｃ、第１の空気室５ａの順に除圧を開始する第１除圧パターン、第５の空気室５ｅの除圧を最初に開始し、以後、第３の空気室５ｃ、第１の空気室５ａ、第６の空気室５ｆ、第４の空気室５ｄ、第２の空気室５ｂの順に除圧を開始する第２除圧パターン、及び第６の空気室５ｆから第１の空気室５ａまで遠位方向に並ぶ順に順次除圧を開始する第３除圧パターンがある。ただし、本発明における除圧パターンは、身体に負荷される圧力が遠位から近位向かって減少している部分が生じるように各空気室５ａ−５ｆの除圧を行うようにすればよく、後述するように上記３つの除圧パターンに限られるものではない。
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
下記式１：
【化１】
2015047222.tif 000001
（式中、Ｒ１はジフェニルメタンジイソシアネート残基、Ｒ２はポリオール基、ｎは１〜５００の整数を示す。）
で表される末端イソシアネート基含有ウレタンプレポリマーと、
下記式２：
【化２】
2015047222.tif 000002
（式中、Ｒ３はベンゼン環、炭素数３〜１０のシクロアルキル基又は炭素数２〜１０の脂肪族基を示し、ｎは０〜５０の整数を示す）
で表されるポリイソシアネートと、の混合物であることを特徴とする、汚泥スラリーの消臭剤。
【請求項２】
末端イソシアネート基含有ウレタンプレポリマー１００重量部に対して、ポリイソシアネート５〜１００重量部を含むことを特徴とする請求項１に記載の汚泥スラリーの消臭剤。
【請求項３】
請求項１又は２に記載の汚泥スラリーの消臭剤を、汚泥スラリーに添加して撹拌し、ゲル化させることを特徴とする汚泥スラリーの消臭方法。
【請求項４】
汚泥スラリーの含有水分量１００重量部に対して、消臭剤を１〜２０重量部添加することを特徴とする請求項３に記載の消臭方法。
【請求項５】
下記式１：
【化３】
2015047222.tif 000003
（式中、Ｒ１はジフェニルメタンジイソシアネート残基、Ｒ２はポリオール基、ｎは１〜５００の整数を示す。）
で表される末端イソシアネート基含有ウレタンプレポリマーと、
下記式２：
【化４】
2015047222.tif 000004
（式中、Ｒ３はベンゼン環、炭素数３〜１０のシクロアルキル基又は炭素数２〜１０の脂肪族基を示し、ｎは０〜５０の整数を示す）で表されるポリイソシアネートと、の混合物であることを特徴とする、脱水ケーキの消臭剤。
【請求項６】
末端イソシアネート基含有ウレタンプレポリマー１００重量部に対して、ポリイソシアネート５〜１００重量部を含むことを特徴とする請求項５に記載の脱水ケーキの消臭剤。
【請求項７】
請求項５又は６に記載の脱水ケーキの消臭剤を、脱水ケーキに添加して撹拌し、ゲル化させることを特徴とする脱水ケーキの消臭方法。
【請求項８】
脱水ケーキの含有水分量１００重量部に対して、前記脱水ケーキの消臭剤を１〜３０重量部添加することを特徴とする請求項７に記載の脱水ケーキの消臭方法。
【手続補正書】
【提出日】平成28年3月22日(2016.3.22)
【手続補正１】
【補正対象書類名】特許請求の範囲
【補正対象項目名】全文
【補正方法】変更
【補正の内容】
【特許請求の範囲】
【請求項１】
第１電極と、第２電極と、前記第１電極と前記第２電極との間に配置された圧電体層と、前記第２電極上に設けられた銅を含む配線層と、該配線層上に触媒層を介して設けられた無電解めっき層とを備えた圧電素子であって、
前記第２電極上の前記配線層の端部側に前記無電解めっき層が設けられていないことを特徴とする圧電素子。
【請求項２】
前記触媒層は、パラジウムイオンを含む触媒液から形成されたパラジウムからなることを特徴とする請求項１記載の圧電素子。
【請求項３】
前記無電解めっき層は、無電解めっきによって形成されたニッケルを含むニッケル層と、該ニッケル層の上方に無電解めっきによって形成された金を含む金層とを具備することを特徴とする請求項１又は２に記載の圧電素子。
【請求項４】
前記ニッケル層と前記金層との間には、無電解めっきによって形成されたパラジウム層をさらに具備することを特徴とする請求項１〜３の何れか一項に記載の圧電素子。
【請求項５】
前記配線層の前記第２電極の側には、チタン及びタングステンの少なくとも一方を含む密着層が設けられていることを特徴とする請求項１〜４の何れか一項に記載の圧電素子。
【請求項６】
前記第１電極は、前記圧電素子の実質的な駆動部となる能動部毎に設けられた個別電極を構成し、
前記第２電極は、複数の前記能動部に共通する共通電極を構成することを特徴とする請求項１〜５の何れか一項に記載の圧電素子。
【請求項７】
液体を噴射するノズル開口に連通する圧力発生室を有する流路形成基板と、
該流路形成基板の一方面側に設けられた、請求項１〜６の何れか一項に記載の圧電素子と、
を具備することを特徴とする液体噴射ヘッド。
【請求項８】
請求項７に記載の液体噴射ヘッドを具備することを特徴とする液体噴射装置。
【請求項９】
請求項１〜６の何れか一項に記載の圧電素子を具備することを特徴とする超音波デバイス。
【請求項１０】
請求項１〜６の何れか一項に記載の圧電素子を具備することを特徴とするフィルター。
【請求項１１】
請求項１〜６の何れか一項に記載の圧電素子を具備することを特徴とするセンサー。
【請求項１２】
第１電極と、第２電極と、前記第１電極と前記第２電極との間に設けられた圧電体層と、前記第２電極上に設けられた銅を含む配線層と、該配線層上に触媒層を介して設けられた無電解めっき層とを備えた圧電素子の製造方法であって、
前記第２電極上に銅を含む導電層を形成する工程と、
前記導電層をエッチングによりパターニングして、前記配線層とする工程と、
前記圧電体層及び前記第２電極の上方にレジスト層を設け、パターニングすることにより、無電解めっきする領域を露出させる工程と、
露出された前記無電解めっきする領域上に、パラジウムイオンを含む触媒液を用いてパラジウムからなる触媒層を形成する工程と、
前記触媒層上に無電解めっきによりニッケルを含むニッケル層を形成する工程と、
前記ニッケル層の上方に無電解めっきにより金を含む金層を形成する工程と、
前記レジストを除去する工程と、を具備することを特徴とする圧電素子の製造方法。
【請求項１３】
前記ニッケル層を形成する工程の後、前記ニッケル層上に無電解めっきによりパラジウム層を形成する工程を、さらに具備することを特徴とする請求項１２記載の圧電素子の製造方法。
【手続補正２】
【補正対象書類名】明細書
【補正対象項目名】発明の名称
【補正方法】変更
【補正の内容】
【発明の名称】圧電素子、液体噴射ヘッド、液体噴射装置、超音波デバイス、フィルター及びセンサー並びに圧電素子の製造方法
【手続補正３】
【補正対象書類名】明細書
【補正対象項目名】０００９
【補正方法】変更
【補正の内容】
【０００９】
上記課題を解決する本発明の態様は、第１電極と、第２電極と、前記第１電極と前記第２電極との間に配置された圧電体層と、前記第２電極上に設けられた銅を含む配線層と、該配線層上に触媒層を介して設けられた無電解めっき層とを備えた圧電素子であって、前記第２電極上の前記配線層の端部側に前記無電解めっき層が設けられていないことを特徴とする圧電素子にある。
かかる態様では、無電解めっきする領域以外の領域、具体的には、第２電極上の配線層の端部側や、配線層が設けられていない圧電体層上及び第２電極上の領域への無電解めっき層の析出を防止し、変位量の低下を抑制した圧電素子が実現される。
【手続補正４】
【補正対象書類名】明細書
【補正対象項目名】００１５
【補正方法】変更
【補正の内容】
【００１５】
さらに、本発明の他の態様は、液体を噴射するノズル開口に連通する圧力発生室を有する流路形成基板と、該流路形成基板の一方面側に設けられた、上記何れか一つの態様に記載の圧電素子と、を具備することを特徴とする液体噴射ヘッドにある。
かかる態様では、無電解めっきする領域以外の領域への無電解めっき層の析出を防止し、変位量の低下を抑制した液体噴射ヘッドが実現される。
さらに、本発明の他の態様は、上記何れかの態様の液体噴射ヘッドを具備することを特徴とする液体噴射装置にある。
かかる態様では、無電解めっきする領域以外の領域への無電解めっき層の析出を防止し、変位量の低下を抑制した液体噴射装置が実現される。
【手続補正５】
【補正対象書類名】明細書
【補正対象項目名】００１６
【補正方法】変更
【補正の内容】
【００１６】
さらに、本発明の他の態様は、前記何れかの態様に記載の圧電素子を具備することを特徴とする超音波デバイス、フィルター又はセンサーにある。かかる態様では、クラックの発生が抑制され、結晶性及び圧電特性に優れた圧電体層を有する超音波デバイス、フィルター又はセンサーとすることができる。
かかる態様では、無電解めっきする領域以外の領域への無電解めっき層の析出を防止し、変位量の低下を抑制した超音波デバイス、フィルター又はセンサーが実現される。
【手続補正６】
【補正対象書類名】明細書
【補正対象項目名】００１７
【補正方法】変更
【補正の内容】
【００１７】
さらに、本発明の他の態様は、第１電極と、第２電極と、前記第１電極と前記第２電極との間に設けられた圧電体層と、前記第２電極上に設けられた銅を含む配線層と、該配線層上に触媒層を介して設けられた無電解めっき層とを備えた圧電素子の製造方法であって、前記第２電極上に銅を含む導電層を形成する工程と、前記導電層をエッチングによりパターニングして、前記配線層とする工程と、前記圧電体層及び前記第２電極の上方にレジスト層を設け、パターニングすることにより、無電解めっきする領域を露出させる工程と、露出された前記無電解めっきする領域上に、パラジウムイオンを含む触媒液を用いてパラジウムからなる触媒層を形成する工程と、前記触媒層上に無電解めっきによりニッケルを含むニッケル層を形成する工程と、前記ニッケル層の上方に無電解めっきにより金を含む金層を形成する工程と、前記レジストを除去する工程と、を具備することを特徴とする圧電素子の製造方法にある。
かかる態様では、無電解めっきする領域以外の領域への無電解めっき層の析出を防止し、変位量の低下を抑制した圧電素子が製造される。
【手続補正書】
【提出日】平成28年7月28日(2016.7.28)
【手続補正１】
【補正対象書類名】明細書
【補正対象項目名】０００１
【補正方法】変更
【補正の内容】
【０００１】
本発明は、インク収容室内にインクを充填するためのインク充填装置およびインク充填方法に関するものである。
【手続補正２】
【補正対象書類名】明細書
【補正対象項目名】００１０
【補正方法】変更
【補正の内容】
【００１０】
本発明のインク充填装置は、インク収容室と、前記インク収容室内のインクを外部に供給するためのインク供給口と、前記インク収容室内を大気に連通させる連通口と、を備えるインクタンクに対してインクを充填するインク充填装置であって、前記連通口を通して前記インク収容室内を所定圧力まで減圧する減圧手段と、前記インク供給口から前記インク収容室内にインクを充填する充填手段と、前記インクの飽和水蒸気圧が前記所定圧力よりも低くなるように前記インク収容室内に連通する空間内に存在するインクを冷却するための冷却手段と、を備えることを特徴とする。
【手続補正３】
【補正対象書類名】特許請求の範囲
【補正対象項目名】全文
【補正方法】変更
【補正の内容】
【特許請求の範囲】
【請求項１】
インク収容室と、前記インク収容室内のインクを外部に供給するためのインク供給口と、前記インク収容室内を大気に連通させる連通口と、を備えるインクタンクに対してインクを充填するインク充填装置であって、
前記連通口を通して前記インク収容室内を所定圧力まで減圧する減圧手段と、
前記インク供給口から前記インク収容室内にインクを充填する充填手段と、
前記インクの飽和水蒸気圧が前記所定圧力よりも低くなるように前記インク収容室内に連通する空間内に存在するインクを冷却するための冷却手段と、
を備えることを特徴とするインク充填装置。
【請求項２】
前記充填手段は、インク供給路を通して前記インク供給口から前記インク収容室内にインクを充填し、
前記冷却手段は、前記インク収容室内と共に減圧される前記インク供給路の部分に存在するインクを冷却する請求項１に記載のインク充填装置。
【請求項３】
前記冷却手段は、前記空間を形成する部材に向かって当該部材を冷却するための液体を噴射する液体噴射部を備える請求項１または２に記載のインク充填装置。
【請求項４】
前記液体噴射部は、前記部材を収容して減圧される減圧室内に液体を噴射する請求項３に記載のインク充填装置。
【請求項５】
前記減圧室は、前記減圧手段によって減圧される請求項４に記載のインク充填装置。
【請求項６】
前記部材は、表面に起伏部が設けられている請求項３から５のいずれかに記載のインク充填装置。
【請求項７】
前記起伏部は、螺旋状の突起である請求項６に記載のインク充填装置。
【請求項８】
前記部材は、表面が多孔質形状である請求項３から５のいずれかに記載のインク充填装置。
【請求項９】
前記インク収容室は負圧発生部材を備えている請求項１から８のいずれかに記載のインク充填装置。
【請求項１０】
インク収容室と、前記インク収容室内のインクを外部に供給するためのインク供給口と、前記インク収容室内を大気に連通させる連通口と、を備えるインクタンクに対してインクを充填するインク充填方法であって、
前記連通口を通して前記インク収容室内を所定圧力まで減圧する減圧工程と、
前記減圧工程によって前記インク収容室内が減圧された後に、前記インク供給口から前記インク収容室内にインクを充填する充填工程と、
前記減圧工程の前に、前記インクの飽和水蒸気圧が前記所定圧力よりも低くなるように前記インク収容室内に連通する空間内に存在するインクを冷却する冷却工程と、
を含むことを特徴とするインク充填方法。
【請求項１１】
前記減圧工程は、負圧発生源から負圧を導入することにより前記インク収容室内を減圧し、
前記冷却工程において、前記空間を形成する部材を収容して減圧される減圧室内に、気化熱によって前記部材を冷却するための液体を噴射し、かつ前記減圧工程の実施時以外のときに前記負圧発生源から前記減圧室内に負圧を導入する請求項１０に記載のインク充填方法。
【請求項１２】
第１のインクタンクに対して前記減圧工程および充填工程を実施した後に、第２のインクタンクに対して前記減圧工程および充填工程を実施し、
前記冷却工程は、少なくとも前記第２のインクタンクに対する前記減圧工程の前までに、前記第１のインクタンクに対する前記充填工程によって前記空間内に残されたインクを冷却する請求項１０または１１に記載のインク充填方法。
【請求項１３】
前記インク収容室は負圧発生部材を備えている請求項１０から１２のいずれかに記載のインク充填方法。
【手続補正書】
【提出日】平成28年7月22日(2016.7.22)
【手続補正１】
【補正対象書類名】特許請求の範囲
【補正対象項目名】請求項１
【補正方法】変更
【補正の内容】
【請求項１】
シングルパス方式で画像記録を行うインクジェット印刷システムであって、
複数のノズルを有する記録ヘッドと、
前記複数のノズルのうち画像記録に使用不能な不吐ノズルの位置情報を記憶しておく不吐情報記憶部と、
入力画像を量子化して３値以上の多値のドットパターンを示すハーフトーン画像を生成するハーフトーン処理部と、
前記入力画像に対して、又は前記ハーフトーン画像に対して、前記不吐ノズルの位置情報に基づき、前記不吐ノズルによる記録不良部の画像欠陥の視認性を低減させる画像の補正処理を行う不吐補正処理部と、
を備え、
前記ハーフトーン処理部により、ＡＭ（Amplitude Modulation）網、又は、前記記録ヘッドのノズル配列方向に２つ以上のドットが凝集的に配置されるクラスタ型のハーフトーンによって階調表現を行う前記ハーフトーン画像が生成され、
前記ノズル配列方向に２つ以上のドットが凝集的に配置されたクラスタにおける端部から前記ノズル配列方向の距離に応じて、不吐補正の補正強度を変えて前記記録不良部に近接する不吐補正部のドットパターンを生成する不吐補正を行う不吐補正機能を有するインクジェット印刷システム。
【手続補正２】
【補正対象書類名】明細書
【補正対象項目名】００２０
【補正方法】変更
【補正の内容】
【００２０】
第７態様のプログラムにおいて、第２態様から第５態様で特定した事項と同様の事項を適宜組み合わせることができる。
【手続補正３】
【補正対象書類名】明細書
【補正対象項目名】０１０９
【補正方法】変更
【補正の内容】
【０１０９】
このような設定の下でディザマトリクス８２（図１３（Ａ））を適用してハーフトーン処理を行うと、図１５の（Ａ）〜（Ｃ）に示したように、クラスタの端部で補正強度が相対的に強く、クラスタの内部で補正強度を相対的に弱くするような、ドットパターンを実現できる。
【手続補正４】
【補正対象書類名】明細書
【補正対象項目名】０１１０
【補正方法】変更
【補正の内容】
【０１１０】
図１５の（Ａ）〜（Ｃ）では、ドットの大きさを明度で表示しており、濃い色ほど、大きなドットを表している。図１５の（Ｄ）は、図１４と図１５の（Ａ）〜（Ｃ）におけるドット種と明度表示の対応関係を示したものである。